(57)【特許請求の範囲】
【請求項１】
外気を利用して内部の電装品を空冷するようにした電装収納箱の側壁に、該電装収納箱内で前記側壁に沿うインテークダクトと連通するように設けられた吸気口の構造であって、複数列のルーバーをルーバープレートからプレス加工により切り起こし且つ吸気口を遮蔽するように外気の取り込み方向と逆向きに傾斜させて配設すると共に、前記吸気口の開口面に対する前記各ルーバーのインテークダクト内への張り出し高さをルーバーの複数列を一組として各組毎に切り起こし高さを変えることにより前記外気の取り込み方向に段階的に低くしたことを特徴とする電装収納箱の吸気口構造。
【請求項２】
各ルーバーを外気の取り込み方向の上流側の複数列と下流側の複数列とで二組に分け、上流側の複数列に対し下流側の複数列のルーバーの切り起こし高さを低くしたことを特徴とする請求項１に記載の電装収納箱の吸気口構造。
【発明の詳細な説明】
【技術分野】
【０００１】
本発明は、電装収納箱の吸気口構造に関するものである。
【背景技術】
【０００２】
近年、ディーゼル−電気ハイブリッドエンジンの開発が進められているが、この種のディーゼル−電気ハイブリッドエンジンは、ディーゼルエンジンのフライホイールハウジング内に超薄型の三相交流機を内蔵させ、エンジンの起動時には三相交流機をスタータとして作動させ、車両の発進加速時には三相交流機をトルクアシスト用モータとして作動させ、車両の制動時には三相交流機を電気ブレーキとして作動させることによって、三相交流機にディーゼルエンジンの補佐をさせ、ディーゼルエンジンの負担を軽減して、燃費の向上を図り且つディーゼルエンジンによる大気汚染物質の排出量を低減させるようにしたものである。
【０００３】
このようなディーゼル−電気ハイブリッドエンジンを搭載したハイブリッド自動車においては、モータ駆動用のバッテリ（ニッケル水素電池）を搭載する必要があり、しかも、このバッテリを効率良く空冷し得るようにしなければならないが、特にハイブリッド自動車がキャブオーバトラック等である場合には、バッテリをキャブ側に搭載することがスペース的に困難であるため、図４に示す如く、バッテリを収容したバッテリパック１（電装収納箱）をシャシフレーム２に対しブラケット３を介して架装させるようにしている。
【０００４】
図５に示す如く、前記バッテリパック１の内部には、多数のバッテリセル４ａから成るバッテリ４（電装品）が収容されており、バッテリパック１の吸気口５から取り込んだ外気６をインテークダクト７のＵ字型流路を通してブロワ８に導き、該ブロワ８からバッテリ４の直下に流し込んで各バッテリセル４ａ間を通し上方へ抜き出すことでバッテリ４を強制的に空冷するようにしており、各バッテリセル４ａ間を通し上方へ抜き出た外気６は、吸気口５と反対側のバッテリパック１の側壁１ａに開口された排気口９から外部へ排出されるようになっている。
【０００５】
ここで、インテークダクト７がバッテリパック１内で側壁１ａに沿って配置されて上方に折り返すＵ字型流路を成しているのは、ブロワ８までの距離を長くとり且つ水が導かれ難い流路構造とすることで、ルーバー１０を通り抜けた水がブロワ８まで導かれ難くしているからである。
【０００６】
尚、この種のバッテリパック１に関連する先行技術文献情報としては下記の特許文献１等がある。
【先行技術文献】
【特許文献】
【０００７】
【特許文献１】特開２００８−８０９３０号公報
【発明の概要】
【発明が解決しようとする課題】
【０００８】
先の図４に示してある通り、この種のハイブリッド自動車におけるバッテリパック１の吸気口５には、複数列のルーバー１０をバッテリパック１の内側へ向け外気６の取り込み方向と逆向きに切り起こしたルーバープレート１１が備えられており、該ルーバープレート１１の各ルーバー１０により外部からの水の侵入を抑制しつつ外気６をインテークダクト７に取り込めるようになっているが、前記ルーバープレート１１が備えられる吸気口５は、バッテリパック１内で側壁１ａに沿って延びるインテークダクト７に連通するようになっているため、バッテリパック１の内側へ向けて切り起こした各ルーバー１０がインテークダクト７内の流路断面積を狭めて圧損の増大を招く虞れがあった。
【０００９】
即ち、前記バッテリパック１のエンクロージャを構成する部品については、導電性の材質であることが保安基準により定められているため、ルーバー１０を板金部品のルーバープレート１１からプレス加工により切り起こして形成しなければならず、しかも、外気６を取り込み易くするために開口部を大きくしようとしてルーバー１０の切り起こし高さを大きくとればとるほど、インテークダクト７内の流路断面積が狭められて圧損の増大を招いてしまうという事情があった。
【００１０】
本発明は上述の実情に鑑みてなしたもので、圧損の増大を招くことなく水の侵入を防ぎ得る電装収納箱の吸気口構造を提供することを目的とする。
【課題を解決するための手段】
【００１１】
本発明は、外気を利用して内部の電装品を空冷するようにした電装収納箱の側壁に、該電装収納箱内で前記側壁に沿うインテークダクトと連通するように設けられた吸気口の構造であって、複数列のルーバーをルーバープレートからプレス加工により切り起こし且つ吸気口を遮蔽するように外気の取り込み方向と逆向きに傾斜させて配設すると共に、前記吸気口の開口面に対する前記各ルーバーのインテークダクト内への張り出し高さをルーバーの複数列を一組として各組毎に切り起こし高さを変えることにより前記外気の取り込み方向に段階的に低くしたことを特徴とするものである。
【００１２】
而して、このようにすれば、各ルーバーのインテークダクト内への張り出し高さが外気の取り込み方向に段階的に低くしてあるので、各ルーバーを経て取り込まれる外気が下流側に向かうにつれ合流して流量が増えていく一方、インテークダクト内の流路断面積は段階的に増えていくことになり、外気の流量増加に見合う流路断面積を確保することが可能となる。
【００１３】
しかも、外気の取り込み方向の上流側にあるルーバーを経て取り込まれる外気がインテークダクト内の吸気口に対し奥側を流れる一方、外気の取り込み方向の下流側にあるルーバーを経て取り込まれる外気はインテークダクト内の吸気口に対し手前側を流れるため、上流側のルーバーを経た外気を下流側のルーバーと干渉させることなく円滑に取り込むことが可能となる。
【００１４】
尚、各ルーバーが外気の取り込み方向と逆向きに傾斜した配置となっていて、外気が取り込み方向と逆向きに一旦振られてからインテークダクト内に取り込まれるようになっているため、水が慣性により外気の流れから逸脱してルーバーの傾斜面に衝突し易くなり、外部からインテークダクト内への水の侵入が効果的に阻まれることになる。
【００１５】
また、本発明では、各ルーバーをルーバープレートからプレス加工により切り起こし、ルーバーの複数列を一組として各組毎に切り起こし高さを低くしているが、より好ましくは、各ルーバーを外気の取り込み方向の上流側の複数列と下流側の複数列とで二組に分け、上流側の複数列に対し下流側の複数列のルーバーの切り起こし高さを低くすると良い。
【００１６】
即ち、各ルーバーをルーバープレートからプレス加工により切り起こして形成する場合、各ルーバーの切り起こし高さが違っていると、夫々の高さに応じた抜き型と工程が必要となるため、各ルーバーを組分けして各組毎に切り起こし高さを低くするようにすれば、抜き型と工程が少なくて済むことになる。
【発明の効果】
【００１７】
上記した本発明の電装収納箱の吸気口構造によれば、下記の如き種々の優れた効果を奏し得る。
【００１８】
（Ｉ）各ルーバーを経て取り込まれる外気が下流側に向かうにつれ合流して流量が増えていくのに応じ、インテークダクト内の流路断面積を段階的に増やして外気の流量増加に見合う流路断面積を確保することができ、しかも、上流側のルーバーを経た外気を下流側のルーバーと干渉させることなく円滑に取り込むことができるので、圧損の増大を招くことなく水の侵入を防ぐことができ、電装収納箱内に収容された電装品を侵入水から保護することができる。
【００１９】
（ＩＩ）各ルーバーをルーバープレートからプレス加工により切り起こして形成するにあたり、各ルーバーを組分けして各組毎に切り起こし高さを低くすることで抜き型と工程を大幅に減らすことができ、ルーバーの製作に要するコストの大幅な削減を図ることができる。
【図面の簡単な説明】
【００２０】
【図１】本発明を実施する形態の一例を示す正面図である。
【図２】図１のＩＩ−ＩＩ矢視の断面図である。
【図３】本発明の別の形態例を示す断面図である。
【図４】ハイブリッド自動車のバッテリパックの斜視図である。
【図５】図４のバッテリパックの内部の様子を示す斜視図である。
【発明を実施するための形態】
【００２１】
以下本発明の実施の形態を図面を参照しつつ説明する。
【００２２】
図１及び図２は本発明を実施する形態の一例を示すもので、図４及び図５と同一の符号を付した部分は同一物を表わしている。
【００２３】
図１及び図２に示す如く、本形態例においては、前述した図４及び図５と同様に構成したバッテリパック１（図４参照：電装収納箱）に関し、複数列のルーバー１０をプレス加工によりバッテリパック１の内側へ向けて切り起こしたルーバープレート１１が吸気口５を遮蔽するように備えられ、前記各ルーバー１０がインテークダクト７により導かれる外気６の取り込み方向に並べられ且つ該外気６の取り込み方向と逆向きに切り起こされており、前記各ルーバー１０のルーバープレート１１に対する切り起こし高さ（図２中に一部のルーバー１０についてｈで示している高さ、即ち、吸気口５の開口面に対する前記各ルーバー１０のインテークダクト７内への張り出し高さ）が上流側の複数列に対し下流側の複数列が低くなるように設定されている。
【００２４】
即ち、ここに図示している例では、ルーバー１０の上流側の五列を一組とし且つ下流側の五列を一組として二組に分け、各組毎に切り起こし高さを揃えて上流側の五列に対し下流側の五列の切り起こし高さが低くなるようにしてある。尚、ルーバー１０を三組以上に組分けして各組毎に切り起こし高さを低くするようにしても良いことは勿論である。
【００２５】
而して、このようにすれば、各ルーバー１０のインテークダクト７内への張り出し高さが外気６の取り込み方向に段階的に低くしてあるので、各ルーバー１０を経て取り込まれる外気６が下流側に向かうにつれ合流して流量が増えていく一方、インテークダクト７内の流路断面積は段階的に増えていくことになり、外気６の流量増加に見合う流路断面積を確保することが可能となる。
【００２６】
しかも、外気６の取り込み方向の上流側にあるルーバー１０を経て取り込まれる外気６がインテークダクト７内の吸気口５に対し奥側を流れる一方、外気６の取り込み方向の下流側にあるルーバー１０を経て取り込まれる外気６はインテークダクト７内の吸気口５に対し手前側を流れるため、上流側のルーバー１０を経た外気６を下流側のルーバー１０と干渉させることなく円滑に取り込むことが可能となる。
【００２７】
尚、各ルーバー１０が外気６の取り込み方向と逆向きに傾斜した配置となっていて、外気６が取り込み方向と逆向きに一旦振られてからインテークダクト７内に取り込まれるようになっているため、水が慣性により外気６の流れから逸脱してルーバー１０の傾斜面に衝突し易くなり、外部からインテークダクト７内への水の侵入が効果的に阻まれることになる。
【００２８】
従って、上記形態例によれば、各ルーバー１０を経て取り込まれる外気６が下流側に向かうにつれ合流して流量が増えていくのに応じ、インテークダクト７内の流路断面積を段階的に増やして外気６の流量増加に見合う流路断面積を確保することができ、しかも、上流側のルーバー１０を経た外気６を下流側のルーバー１０と干渉させることなく円滑に取り込むことができるので、圧損の増大を招くことなく水の侵入を防ぐことができ、バッテリパック１内に収容されたバッテリ４を侵入水から保護することができる。
【００２９】
また、本形態例のように、各ルーバー１０をルーバープレート１１からプレス加工により切り起こして形成する場合、各ルーバー１０の切り起こし高さが違っていると、夫々の高さに応じた抜き型と工程が必要となるため、各ルーバー１０を組分けして各組毎に切り起こし高さを低くするようにすれば、抜き型と工程を大幅に減らすことができ、ルーバー１０の製作に要するコストの大幅な削減を図ることができる。
【００３０】
即ち、各ルーバー１０をルーバープレート１１からプレス加工により切り起こして形成するにあたり、各ルーバー１０の切り起こし高さを一列ずつ全て変えてしまうと、プレス加工で抜き型を行う時に、ルーバー打ち抜き用の型が順番に一つずつ未加工のルーバープレート１１に当たってしまうことになり、型の耐久性がもたないという問題があるため、現実的にはルーバー１０の切り起こし高さを変更した分だけ型と工数を増やしてプレス加工を行わなければならなくなるからである。
【００３２】
尚、本発明の電装収納箱の吸気口構造は、上述の形態例にのみ限定されるものではなく、電装収納箱は必ずしもハイブリッド自動車のバッテリパックに限定されないこと、その他、本発明の要旨を逸脱しない範囲内において種々変更を加え得ることは勿論である。
【符号の説明】
【００３３】
１  バッテリパック（電装収納箱）
１ａ  側壁
４  バッテリ（電装品）
５  吸気口
６  外気
７  インテークダクト
１０  ルーバー
１１  ルーバープレート
【図１】
0005597507.tif 000002
【図２】
0005597507.tif 000003
【図３】
0005597507.tif 000004
【図４】
0005597507.tif 000005
【図５】
0005597507.tif 000006